(57)【要約】【課題】植生用土が流出し難く且つ低コストで容易に製造できる緑化用積みブロックの製造方法及び緑化用積みブロックを提供する。【解決手段】上方が開放された型枠内に固化材を充填し、下面に凸部が形成された加圧板で充填した固化材上面を加圧して締め固め、加圧板を外して加圧板の凸部で形成された所定深さの凹所内に植生用土を充填し、同植生用土及び固化材の上面に更に固化材を薄く被覆して被覆層を形成し、固化材を固化させて型枠から脱型する。【選択図】          図１
2004263442.tif 000002
【特許請求の範囲】
【請求項１】
緑化用積みブロックの表面近くの内部に空所を設け、同空所に植生用土を封入した緑化用積みブロックの製造方法であって、上方が開放された型枠内に固化材を充填し、下面に凸部が形成された加圧板で充填した固化材上面を加圧して締め固め、加圧板を外して加圧板の凸部で形成された所定深さの凹所内に植生用土を充填し、同植生用土及び固化材の上面に更に固化材を薄く被覆して被覆層を形成し、固化材を固化させて型枠から脱型して製造する緑化用積みブロックの製造方法。
【請求項２】
被覆層となる固化材の被覆時又は固化途中又は固化後，型枠から脱型後において、封入された植生用土と連通する孔を被覆層に形成する請求項１記載の緑化用積みブロックの製造方法。
【請求項３】
被覆層が５〜１０ｍｍの範囲の厚さとなるように固化材を被覆する請求項１又は２記載の緑化用積みブロックの製造方法。
【請求項４】
植生用土が予め施肥されたものである請求項１〜３いずれか記載の緑化用積みブロックの製造方法。
【請求項５】
植生用土が予め植物種子を混入したものである請求項１〜４いずれか記載の緑化用積みブロックの製造方法。
【請求項６】
固化材がノースランプコンクリートである請求項１〜５いずれか記載の緑化用積みブロックの製造方法。
【請求項７】
所要立体形状のブロック表面に所定深さの凹所を設け、同凹所内に植生用土を充填し、同植生用土の表面にブロックと同素材の薄い被覆層を形成して封止した緑化用積みブロック。
【請求項８】
封入された植生用土と連通する孔を被覆層に形成した請求項７記載の緑化用積みブロック。
【請求項９】
植生用土が予め施肥されたものである請求項７又は８記載の緑化用積みブロック。
【請求項１０】
植生用土が予め植物種子を混入したものである請求項７〜９いずれか記載の緑化用積みブロック。
【請求項１１】
被覆層上面に植生用土の位置を示すマーキングを施した請求項７〜１０いずれか記載の緑化用積みブロック。
【請求項１２】
ブロック及び被覆層がノースランプコンクリートである請求項７〜１１いずれか記載の緑化用積みブロック。
【発明の詳細な説明】
【０００１】
【発明の属する技術分野】
本発明は、河川や海岸、道路に面する傾斜壁等の法面に侵食による土砂の流出防止と植物の育成を図るために施工される緑化用積みブロックに関する。
【０００２】
【従来の技術】
従来、河川や海岸、道路に面する傾斜壁等の法面には雨水や河川等による侵食を防止して土砂が流出しないようにする保護ブロックとしては積みブロックが広く使用されている。ところで、このブロックはポルトランドセメントと砂を用いた通常のコンクリートで製造されているから、景観上好ましくなく、植物が育たないという問題があった。
このため、土砂の流出防止と植物の育成を同時に図るため、ブロックを構築したコンクリート面に植生用土層を形成して植物を定植する方法が提案された。しかし、この方法では雨水で植生用土が流出し易い問題があった。また、ブロックを形成するコンクリート材料中に植物の種子と高分子吸水剤又は木質繊維等の保水材を混合した緑化用積みブロックが提案された。しかし、このブロックでは植物が必要とする養分が十分に行き渡らず育成が困難で、しかも高コストであるという問題があった。
【０００３】
【発明が解決しようとする課題】
本発明が解決しようとする課題は、従来のこれらの問題点を解消し、植生用土が流出し難く且つ低コストで容易に製造できる緑化用積みブロックの製造方法及び緑化用積みブロックを提供することにある。
【０００４】
【課題を解決するための手段】
かかる課題を解決した本発明の構成は、
１）  緑化用積みブロックの表面近くの内部に空所を設け、同空所に植生用土を封入した緑化用積みブロックの製造方法であって、上方が開放された型枠内に固化材を充填し、下面に凸部が形成された加圧板で充填した固化材上面を加圧して締め固め、加圧板を外して加圧板の凸部で形成された所定深さの凹所内に植生用土を充填し、同植生用土及び固化材の上面に更に固化材を薄く被覆して被覆層を形成し、固化材を固化させて型枠から脱型して製造する緑化用積みブロックの製造方法
２）  被覆層となる固化材の被覆時又は固化途中又は固化後，型枠から脱型後において、封入された植生用土と連通する孔を被覆層に形成する前記１）記載の緑化用積みブロックの製造方法
３）  被覆層が５〜１０ｍｍの範囲の厚さとなるように固化材を被覆する前記１）又は２）記載の緑化用積みブロックの製造方法
４）  植生用土が予め施肥されたものである前記１）〜３）いずれか記載の緑化用積みブロックの製造方法
５）  植生用土が予め植物種子を混入したものである前記１）〜４）いずれか記載の緑化用積みブロックの製造方法
６）  固化材がノースランプコンクリートである前記１）〜５）いずれか記載の緑化用積みブロックの製造方法
７）  所要立体形状のブロック表面に所定深さの凹所を設け、同凹所内に植生用土を充填し、同植生用土の表面にブロックと同素材の薄い被覆層を形成して封止した緑化用積みブロック
８）  封入された植生用土と連通する孔を被覆層に形成した前記７）記載の緑化用積みブロック
９）  植生用土が予め施肥されたものである前記７）又は８）記載の緑化用積みブロック
１０）  植生用土が予め植物種子を混入したものである前記７）〜９）いずれか記載の緑化用積みブロック
１１）  被覆層上面に植生用土の位置を示すマーキングを施した前記７）〜１０）いずれか記載の緑化用積みブロック
１２）  ブロック及び被覆層がノースランプコンクリートである前記７）〜１１）いずれか記載の緑化用積みブロック
にある。
【０００５】
【作用】
本発明によれば、植生用土上に形成された被覆層を開口すれば、植物又はその種子を直接定植できる。定植はブロックを法面に施工した後に行うため、施工中に植生用土が流出することがなく、定植後も開口部は小孔で十分であるから植生用土が流出し難い。また、製造も低コストで容易に行える。
【０００６】
【発明の実施の形態】
本発明のブロックは、固化材の固化後又は脱型後に封入された植生用土と連通する孔を被覆層に形成するものが、植生用土の流出及び雨水の流入がなく好ましい。
被覆層は５〜１０ｍｍの範囲の厚さが外力では破損し難く且つ容易に開口できて好ましい。植生用土には予め施肥したり、植物種子を混入してもよい。
固化材としてはノースランプコンクリートが水分をあまり必要とせず短時間で硬化し、生産性が良好で好ましい。
被覆層上面には植生用土の位置を示すマーキングを施すと開口位置が判別し易い。
以下、本発明の実施例を図面に基づいて具体的に説明する。
【０００７】
【実施例】
図１〜４に示す実施例は、本発明の製造方法で製造される緑化用積みブロックを道路に面する傾斜壁からなる法面に施工した例である。
図１は、実施例の緑化用積みブロックの使用状態を示す説明図である。
図２，３は、実施例の緑化用積みブロックの製造過程を示す説明図である。
図４は、実施例の緑化用積みブロックへの植物種子の定植を示す説明図である。
【０００８】
図中、１は緑化用積みブロック、２は固化材、３は凹所、４は植生用土、５は被覆層、５ａは小孔、６は面取り部、７は加圧板、７ａは凸部、８は用水路、Ｃは基礎コンクリートブロック、Ｇは道路、Ｋは型枠、Ｐは植物、Ｐａは植物の種子、Ｒは法面である。
【０００９】
本実施例では、まず図２（ａ）に示すように上方が開放された断面略Ｔ字型の型枠Ｋ内にノースランプコンクリートからなる固化材２を開放部分付近まで投入する。
次に、図２（ｂ）に示すように下面に凸部７ａが下方に突設された型枠Ｋの開放部分と略同じ面積の加圧板７で型枠Ｋの開放部分を閉塞し、加圧板７を固化材２の方向に荷重して凸部７ａで固化材２を締め固めた後加圧板７を脱型し、図２（ｃ）に示すように固化材２の上面に所定深さの凹所３を形成する。
次に、図３（ａ）に示すように形成された凹所３内に所要の肥料が施肥された植生用土４を充填し、図３（ｂ）に示すように、植生用土４及び固化材２の上面に更に固化材２と同素材の固化材を厚み５ｍｍとなるように薄く被覆して被覆層５を形成し、固化材２及び被覆層５が固化後型枠Ｋから脱型して周縁に面取り部６を形成し、図３（ｃ）に示す緑化用積みブロック１を得る。
そして、道路Ｇに面する法面Ｒに前記方法で得た緑化用積みブロック１を多数施工した後、図４に示すように各緑化用積みブロック１の被覆層５の植生用土４の位置に直径３〜４ｃｍ程の小孔５ａをポンチ等でそれぞれ開口して植物Ｐの種子Ｐａを所要数定植し、所定期間経過後植物Ｐが育成して図１に示すように法面Ｒが保護・緑化される。
【００１０】
本実施例ではこのように構成したから、植生用土４上に形成された被覆層５を開口すれば、植物Ｐ又はその種子Ｐａを直接定植できる。開口は緑化用積みブロック１を法面Ｒに施工した後に行うため、施工中に植生用土４が流出することがなく、定植後も開口部は小孔５ａで十分であるから植生用土４が流出し難い。また、製造も特殊な材料や技術を要することなく低コストで容易に行える。
【００１１】
図５に示すのは、緑化用積みブロックの被覆層に植生用土の位置を示すマーキングを施した実施例の他の例である。
図５は、実施例の他の例の緑化用積みブロックの平面図である。
図中、９はマーキングである。
実施例の他の例では、図５に示すように被覆層５の植生用土４部分に四角形状にマーキング９を塗料等でペイントしている。従って、植物Ｐ又はその種子Ｐａの定植時に植生用土４の位置が判別し易く、正確な定位置に小孔５ａを開口でき、定植作業が短時間に効率的に行われる。
その他、符号、構成は実施例の緑化用積みブロックと同じである。
【００１２】
図６に示すのは、緑化用積みブロックの被覆層を凹所と略同じ幅に開口した実施例の他の例である。
図６は、実施例の他の例の緑化用積みブロックの断面図である。
図中、５ｂは大孔である。
実施例の他の例では、図６に示すように被覆層５に凹所３と略同じ幅の大孔５ｂを開口し、植物Ｐ又はその種子Ｐａの定植を容易にしている。また、定植後は開口幅が大きいから育成が速く、短期間で法面を緑化できる。
その他、符号、構成は実施例の緑化用積みブロックと同じである。
【００１３】
【発明の効果】
以上説明したように、本発明によれば植生用土が流出し難く且つ低コストで容易な製造を可能とする緑化用積みブロックの製造方法及び緑化用積みブロックを提供できる。
【図面の簡単な説明】
【図１】実施例の緑化用積みブロックの使用状態を示す説明図である。
【図２】実施例の緑化用積みブロックの製造過程を示す説明図である。
【図３】実施例の緑化用積みブロックの製造過程を示す説明図である。
【図４】実施例の緑化用積みブロックへの植物種子の定植を示す説明図である。
【図５】実施例の他の例の緑化用積みブロックの平面図である。
【図６】実施例の他の例の緑化用積みブロックの断面図である。
【符号の説明】
１  緑化用積みブロック
２  固化材
３  凹所
４  植生用土
５  被覆層
５ａ  小孔
５ｂ  大孔
６  面取り部
７  加圧板
７ａ  凸部
８  用水路
９  マーキング
Ｃ  基礎コンクリートブロック
Ｇ  道路
Ｋ  型枠
Ｐ  植物
Ｐａ  種子
Ｒ  法面
【図１】
2004263442.tif 000003
【図２】
2004263442.tif 000004
【図３】
2004263442.tif 000005
【図４】
2004263442.tif 000006
【図５】
2004263442.tif 000007
【図６】
2004263442.tif 000008